(57)【要約】【課題】  防爆性能を備えながらも、防爆化に伴う通話品質の劣化を防止することができる防爆型ＩＰ携帯電話機を提供する。【解決手段】  ＩＰ携帯電話機の内蔵スピーカ３をＩＰ携帯電話機のハウジング２から外部に露出し、しかも、該内蔵スピーカ３がＩＰ携帯電話機のハウジング２から離間した状態を維持しつつ、音声透過部材４４と対向する位置に配置されることにより、内蔵スピーカ３を介して受話した音声がＩＰ携帯電話機のハウジング２を伝って送話部における内蔵マイクに到達しにくくする。【選択図】図５
2010245920.tif 000002
【特許請求の範囲】
【請求項１】
送話部、受話部及びキー操作部を備えるＩＰ携帯電話機と、該ＩＰ携帯電話機を収納する防爆ケースとからなり、ＩＰ携帯電話機の送話部、受話部及びキー操作部と対向する防爆ケースの各部位に貫通穴が形成され、送話部及び受話部と対向する貫通穴に防爆性能を有する音声透過部材が嵌め込まれ、キー操作部に対向する貫通穴に防爆性能を有する押釦が内外を隔絶しつつ突出・退入自在に嵌め込まれる防爆型ＩＰ携帯電話機であって、ＩＰ携帯電話機の内蔵スピーカをＩＰ携帯電話機のハウジングから外部に露出し、しかも、該内蔵スピーカがＩＰ携帯電話機のハウジングから離間した状態を維持しつつ、音声透過部材と対向する位置に配置されることを特徴とする防爆型ＩＰ携帯電話機。
【請求項２】
防爆カバーの内面に、受話部と対向する貫通穴に連通し且つ内蔵スピーカを収容可能な大きさの凹部が形成され、該凹部に内蔵スピーカが配置される請求項１に記載の防爆型ＩＰ携帯電話機。
【請求項３】
凹部の開口を塞ぐようにして制震材が配置される請求項２に記載の防爆型ＩＰ携帯電話機。
【請求項４】
内蔵スピーカは、凹部に配置されるベースに取り付けられ、該ベースは、制震材を介してＩＰ携帯電話機のハウジングに固定される請求項２又は３に記載の防爆型ＩＰ携帯電話機。
【請求項５】
凹部に吸音材が装填される請求項２〜４の何れか１項に記載の防爆型ＩＰ携帯電話機。
【発明の詳細な説明】
【技術分野】
【０００１】
本発明は、可燃性ガスや可燃性粉塵が存在する爆発危険雰囲気下でも使用することができる防爆型ＩＰ携帯電話機に関する。
【背景技術】
【０００２】
爆発危険雰囲気が存在する例えば工場では、工場内と工場外との間で連絡をとるため、防爆構造にしたＰＨＳ（Personal Handy-phone System）端末機が使用されることがある。しかし、ＰＨＳ端末機は、１台当たりに使用できる周波数・時間が限られ、また、通信速度が最高でも128kbpsと遅いため、映像情報などの大容量データ通信を行うことができないといった不具合、さらに、専用のアンテナを設置しなければならないことから、インフラ整備のための費用が嵩むといった不具合などがある。
【０００３】
このような不具合を解消するために、本願出願人は、防爆型ＩＰ（Internet Protocol）携帯電話機の開発を行った（特許文献１を参照）。但し、この防爆型ＩＰ携帯電話機は、内部で爆発が起きた場合に、火炎や火花などが外部に漏出しないようにするため、ケース本体とカバーとの接合面の幅が厚くされ（例えば10mm）、さらに、爆圧に耐えられるように堅牢な構造とされていることから、大型化・重量化したもの（900〜1,000ｇ程度）となっている。
【０００４】
そのような折り、防爆指針の改定により、内部の自由空間が20cm3以下の容積にあっては、非点火防爆構造である前提のもと、従来規定されたケース本体とカバーとの接合面の幅などの条件が除外され、小型・軽量化を図ることができるようになった。そこで、本願出願人は、防爆指針の改定に対応した防爆型ＩＰ携帯電話機を開発したばかりである。尚、それに関しては特願２００９−３２５５２号の出願を行っている。
【０００５】
この防爆型ＩＰ携帯電話機は、ＩＰ携帯電話機を収納するケースが防爆性能を有する金属によって非点火防爆構造を満足し、小型・軽量化が図られ、携行性を優れたものとすることができ、また、ＩＰ携帯電話機を防爆ケース内に収納するだけのシンプルな構成とすることにより、ＩＰ携帯電話機を容易に交換することができ、メンテナンスや修理の作業性を向上することができるものとなっている。
【先行技術文献】
【特許文献】
【０００６】
【特許文献１】特開２００８−６１０５４号公報
【発明の概要】
【発明が解決しようとする課題】
【０００７】
ところで、ＩＰ携帯電話機では、相互通話状態において、自身より発された音声が相手方のＩＰ携帯電話機を経由して再び自身のＩＰ携帯電話機にエコー音として帰ってくるという現象が生じ、しかも、音声をＩＰパケット化し、ルーターやスイッチなどのネットワーク機器、ＩＰネットワークを経由させるため、エコーの遅延が顕著に発生する。防爆化されたＩＰ携帯電話機であれば、堅牢な金属ケースに密封するため、内蔵スピーカから発せられた音や振動が外部へ発散することなく内蔵マイクに伝わる結果となり、さらにエコー音が大きくなる傾向を示し、通話に支障をきたすおそれがある。
【０００８】
対応策として、ＩＰ携帯電話機の内蔵マイクの感度を下げたり、内蔵スピーカの音量を下げるといった方法が考えられるが、これらの方法では、通話そのものが聞き取りにくいという弊害が生じる。
【０００９】
そこで、本発明は、防爆性能を備えながらも、防爆化に伴う通話品質の劣化を防止することができる防爆型ＩＰ携帯電話機を提供することを課題とする。
【課題を解決するための手段】
【００１０】
本発明に係る防爆型ＩＰ携帯電話機は、送話部、受話部及びキー操作部を備えるＩＰ携帯電話機と、該ＩＰ携帯電話機を収納する防爆ケースとからなり、ＩＰ携帯電話機の送話部、受話部及びキー操作部と対向する防爆ケースの各部位に貫通穴が形成され、送話部及び受話部と対向する貫通穴に防爆性能を有する音声透過部材が嵌め込まれ、キー操作部に対向する貫通穴に防爆性能を有する押釦が内外を隔絶しつつ突出・退入自在に嵌め込まれる防爆型ＩＰ携帯電話機であって、ＩＰ携帯電話機の内蔵スピーカをＩＰ携帯電話機のハウジングから外部に露出し、しかも、該内蔵スピーカがＩＰ携帯電話機のハウジングから離間した状態を維持しつつ、音声透過部材と対向する位置に配置されることを特徴とする。
【００１１】
ＩＰ携帯電話機が防爆ケースに収納されることで、受話部における内蔵スピーカを介して受話した音声（音や振動）は、音声透過部材を介して防爆ケース外部に出力されると同時にＩＰ携帯電話機のハウジングを伝って送話部における内蔵マイクに入力されてしまう。これが相手方のＩＰ携帯電話機で起こった場合、自身より発された音声が相手方のＩＰ携帯電話機を経由して再び自身のＩＰ携帯電話機にエコー音として帰ってくるという現象が生じる。
【００１２】
しかしながら、上記構成からなる防爆型ＩＰ携帯電話機は、ＩＰ携帯電話機の受話部における内蔵スピーカがＩＰ携帯電話機のハウジングから外部に露出し、しかも、該内蔵スピーカがＩＰ携帯電話機のハウジングから離間した状態を維持しつつ、音声透過部材と対向する位置に配置されるため、受話部における内蔵スピーカを介して受話した音声（音や振動）は、音声透過部材を介して防爆ケース外部に出力される一部を除き、防爆ケース内に閉じ込められるものの、ＩＰ携帯電話機のハウジングには伝わりにくくなっている。従って、受話した音声が内蔵マイクに入力されることが軽減されるため、自身より発された音声が相手方のＩＰ携帯電話機を経由して再び自身のＩＰ携帯電話機にエコー音として帰ってくるという現象が抑制され、防爆化に伴う通話品質の劣化を防止することができる。
【００１３】
また、本発明に係る防爆型ＩＰ携帯電話機は、防爆カバーの内面に、受話部と対向する貫通穴に連通し且つ内蔵スピーカを収容可能な大きさの凹部が形成され、該凹部にＩＰ携帯電話機のハウジングから露出した内蔵スピーカが配置されることが好ましい。
【００１４】
かかる構成によれば、内蔵スピーカを介して受話した音声（音や振動）は、凹部から音声透過部材を介して貫通穴を通り、防爆ケース外部に出力されるようになっており、内蔵スピーカの収容スペースを創出することができるばかりでなく、内蔵スピーカを凹部内に隔離することによりＩＰ携帯電話機のハウジングに伝わりにくくする。
【００１５】
また、本発明に係る防爆型ＩＰ携帯電話機は、凹部の開口を塞ぐようにして制震材が配置されることがさらに好ましい。
【００１６】
かかる構成によれば、凹部内の音声が貫通穴を通って防爆ケース外部に出力される以外は、凹部から漏れ出ることが無く、そのため、ＩＰ携帯電話機のハウジングに伝わりにくくすることができる。
【００１７】
また、本発明に係る防爆型ＩＰ携帯電話機は、内蔵スピーカが凹部に配置されるベースに取り付けられ、該ベースが制震材を介してＩＰ携帯電話機のハウジングに固定される構成を採用することができる。
【００１８】
かかる構成によれば、ベースによって、内蔵スピーカがＩＰ携帯電話機のハウジングから離間した状態が維持され、しかも、ベースが制震材を介してＩＰ携帯電話機のハウジングに固定されることで、内蔵スピーカからの音声がベースを介してＩＰ携帯電話機のハウジングに伝わることもない。
【００１９】
また、本発明に係る防爆型ＩＰ携帯電話機は、凹部に吸音材が装填されることがさらに好ましい。かかる構成によれば、さらに効果を高めることができる。
【００２０】
尚、防爆ケースは、より好ましくは、送受信部、表示部、送話部、受話部及びキー操作部を備えるＩＰ携帯電話機を収納及び取り出し可能とすべく、開口部を設けたケース本体と、ケース本体の開口部を閉鎖するカバーとを備え、ケース本体及びカバーが防爆性能を有する金属によって成型され、ＩＰ携帯電話機の送受信部、表示部、送話部、受話部及びキー操作部と対向するケース本体又はカバーの各部位に貫通穴が形成され、送受信部と対向する貫通穴に防爆性能を有する電波透過部材が嵌め込まれ、表示部と対向する貫通穴に防爆性能を有する透光部材が嵌め込まれ、送話部及び受話部と対向する貫通穴に防爆性能を有する音声透過部材が嵌め込まれ、キー操作部に対向する貫通穴に防爆性能を有する金属製の押釦が内外を隔絶しつつ突出・退入自在に嵌め込まれる構成が採用される。
【００２１】
かかる構成によれば、ケース本体及びカバーが防爆性能を有する金属によって、非点火防爆構造でかつ小型にすることができる。そして、ＩＰ携帯電話機の送受信部と対向するケース本体又はカバーの部位に貫通穴が形成され、この貫通穴に防爆性能を有する電波透過部材が嵌め込まれることにより、ケース本体及びカバーが金属製であっても、ＩＰ携帯電話機が電波を送受信することができる。
【００２２】
そして、ＩＰ携帯電話機の表示部と対向するケース本体又はカバーの部位に貫通穴が形成され、この貫通穴に防爆性能を有する透光部材が嵌め込まれることにより、ケース本体及びカバーが金属製であっても、ＩＰ携帯電話機の表示部に表示された情報を目視することができる。
【００２３】
そして、ＩＰ携帯電話機の送話部及び受話部と対向するケース本体又はカバーの部位に貫通穴が形成され、この貫通穴に防爆性能を有する音声透過部材が嵌め込まれることにより、ケース本体及びカバーが金属製であっても、通話することができる。そして、ＩＰ携帯電話機のキー操作部に対向するケース本体又はカバーの部位に貫通穴が形成され、この貫通穴に防爆性能を有する金属製の押釦が内外を隔絶しつつ突出・退入自在に嵌め込まれていることにより、ケース本体及びカバーが金属製であっても、ＩＰ携帯電話機のキー操作部を操作することができる。
【００２４】
また、上記防爆ケースにおいては、電波透過部材及び／又は光透過材を嵌め込む貫通穴に、電波透過部材及び／又は光透過材の前面側周縁部を載置するフランジが設けられることが好ましい。
【００２５】
かかる構成によれば、電波透過部材及び／又は光透過材を嵌め込む貫通穴にフランジが設けられることにより、電波透過部材及び／又は光透過材がケース本体及びカバーの貫通穴から脱落しにくいようにすることができる。
【００２６】
また、上記防爆ケースにおいては、着信音を発生する着信音発生部を備えるＩＰ携帯電話機の該着信音発生部と対向するケース本体又はカバーの部位に貫通穴が形成され、この貫通穴に防爆性能を有する音透過部材が嵌め込まれることが好ましい。
【００２７】
かかる構成によれば、ＩＰ携帯電話機が着信音を発生する場合において、着信音発生部と対向するケース本体又はカバーの部位に貫通穴が形成され、この貫通穴に音透過部材が嵌め込まれることにより、ケース本体及びカバーが金属製であっても、着信音を聞き取ることができる。
【００２８】
また、上記防爆ケースにおいては、ＩＰ携帯電話機が備える充電端子と対向するケース本体又はカバーの部位に開口部が設けられ、この開口部に防爆性能を有する金属製の蓋体が着脱自在に取り付けられることが好ましい。
【００２９】
かかる構成によれば、ケース本体又はカバーに設けられた開口部に金属製の蓋体が着脱自在に取り付けられることにより、蓋体を外した状態において、ＩＰ携帯電話機が備える充電端子に直接、充電のためのコネクタを接続することができ、そして、蓋体を取り付けて防爆性能を発揮することができる。
【００３０】
また、上記防爆ケースにおいては、ＩＰ携帯電話機と押釦との間に、押釦の突出・退入に追従する柔軟性のシートが介在し、押釦がシートに接着されることが好ましい。
【００３１】
かかる構成によれば、ＩＰ携帯電話機と押釦との間に柔軟性のシート体が介在し、押釦がシートに接着されることにより、押釦がケース本体又はカバーから脱落しないようにする機能を簡略化することができる。
【発明の効果】
【００３２】
本発明によれば、ＩＰ携帯電話機の受話部における内蔵スピーカがＩＰ携帯電話機のハウジングから外部に露出し、しかも、該内蔵スピーカがＩＰ携帯電話機のハウジングから離間した状態を維持しつつ、音声透過部材と対向する位置に配置されるため、内蔵スピーカを介して受話した音声がＩＰ携帯電話機のハウジングを伝って送話部における内蔵マイクに到達しにくくなり、これにより、発された音声が相手方のＩＰ携帯電話機を経由して再び自身のＩＰ携帯電話機にエコー音として帰ってくるという現象が抑制され、防爆化に伴う通話品質の劣化を防止することができる。
【図面の簡単な説明】
【００３３】
【図１】本発明の一実施形態に係る防爆型ＩＰ携帯電話機の背面側から見た分解斜視図を示す。
【図２】同防爆型ＩＰ携帯電話機を正面側から見た斜視図を示す。
【図３】同防爆型ＩＰ携帯電話機を背面側から見た斜視図を示す。
【図４】同防爆型ＩＰ携帯電話機の断面側面図を示す。
【図５】同防爆型ＩＰ携帯電話機の内蔵スピーカ部分であって、（ａ）は、要部拡大断面上面図、（ｂ）は、要部拡大断面側面図、を示す。
【図６】別の実施形態に係る防爆型ＩＰ携帯電話機の断面側面図を示す。
【図７】同防爆型ＩＰ携帯電話機の内蔵スピーカ部分であって、（ａ）は、要部拡大断面上面図、（ｂ）は、要部拡大断面側面図、を示す。
【図８】さらに別の実施形態に係る防爆型ＩＰ携帯電話機の断面側面図を示す。
【図９】同防爆型ＩＰ携帯電話機の内蔵スピーカ部分であって、（ａ）は、要部拡大断面上面図、（ｂ）は、要部拡大断面側面図、を示す。
【発明を実施するための形態】
【００３４】
本発明に係る防爆型ＩＰ携帯電話機の一実施形態について、図１〜図４を参照しながら説明する。本実施形態に係る防爆型ＩＰ携帯電話機は、ＩＰ携帯電話機１と、該ＩＰ携帯電話機１を収納するケース本体１０、カバー２０及び蓋体３０を主たる構成とする防爆ケース５とからなる。この防爆ケース５の内部自由空間が20cm3以下とされることにより、防爆型ＩＰ携帯電話機は、非点火防爆構造を実現すると共に、300〜400ｇ程度に軽量化されている。
【００３５】
ＩＰ携帯電話機（以下、単に「電話機」という）１は、ＩＰ（Internet  Protocol）ネットワークを通じて音声信号などを送受信して通話する電話機である。電話機１は、無線ＬＡＮなどの無線通信方式を用いてＩＰネットワークに接続して通信するもので、既に構築された無線ＬＡＮネットワークなどを利用して通話を行うことができるだけでなく、データ、画像などを送受信し、その情報を表示部に表示することができるという特徴を有している。
【００３６】
そして、電話機１は、何れも図示しないが、上部側に電波を送受信する送受信部（アンテナ）が内蔵され、表面側に表示部、送話部、受話部、キー操作部が備えられ、側面側に電源スイッチ、タッチ式のボリュームが備えられ、背面側に着信音発生部が備えられ、底面側に充電端子が備えられている。
【００３７】
この電話機１を収納するケース本体１０は、天面部１１、正面部１２、一対の側面部１３，１４によって略箱形に形成され、背面側と底面側に開口部１５，１６が設けられている。このケース本体１０の内寸は、電話機１の外寸とほぼ同じとされ、電話機１の天面部、正面部、側面部がケース本体１０の天面部１１、正面部１２、側面部１３，１４の各内面と当接するようにされている。
【００３８】
そして、カバー２０は、ケース本体１０の背面側の開口部１５を塞ぎ、両側部がケース本体１０の側面部１３，１４の背面に当接し、ネジなどの締結治具２１，２１，…によって締結される。尚、図示しないが、カバー２０とケース本体１０との間にパッキンを介在させ、カバー２０とケース本体１０との気密性をさらに向上させてもよい。
【００３９】
そして、蓋体３０は、ケース本体１０の底面側の開口部１６を塞ぎ、周縁部がケース本体１０の正面部１２、側面部１３，１４及びカバー２０の各底面に当接し、電話機１を密封した状態とする。この蓋体３０の一方の側部内面には、Ｌ字形の爪３１が突設され、蓋体３０の他方の側部には、回転軸３２が貫通し、この回転軸３２に係止片３３が取り付けられている。
【００４０】
他方、ケース本体１０の一方及び他方の側面部１３，１４の底面部付近の内面には、それぞれ溝１７が形成され、それぞれの溝１７，１７に蓋体３０の爪３１と係止片３３が係入するようにされている。尚、この爪３１や係止片３３が電話機１と干渉しないようにするため、ケース本体１０の正面部１２の内面には、電話機１の底面を支承するスペーサ１９が突設されている。
【００４１】
そして、ケース本体１０の天面部１１とカバー２０の上部であって、電話機１の送受信部と対向する部位に貫通穴１１ａ，２０ａが形成され、この貫通穴１１ａ，２０ａに防爆性能を有する強化ガラスやポリカーボネイトなどから形成された電波透過部材４１が嵌め込まれている。
【００４２】
そして、ケース本体１０の正面部１２であって、電話機１の表示部と対向する部位に貫通穴１２ａが形成され、この貫通穴１２ａに防爆性能を有する強化ガラスやポリカーボネイトなどから形成された透光部材４２が嵌め込まれている。
【００４３】
電波透過部材４１を嵌め込む貫通穴１１ａ，２０ａ及び透光部材４２を嵌め込む貫通穴１２ａには、図４に示すように、電波透過部材４１及び透光部材４２の前面側周縁部を載置するフランジ１１ｂ，２０ｂ，１２ｂが設けられ、電波透過部材４１及び透光部材４２が貫通穴１１ａ，２０ａ，１２ａから脱落しないようにされている。そして、電波透過部材４１の外周面と貫通穴１１ａ，２０ａの内周面との間及び透光部材４２の外周面と貫通穴１２ａ内周面との間には、接着剤４３が充填され、電波透過部材４１及び透光部材４２が貫通穴１１ａ，２０ａ，１２ａ内に接着されている。
【００４４】
また、電波透過部材４１及び透光部材４２の裏面は、ケース本体１０及びカバー２０の各裏面と同一面又は僅かに窪むようにされ、電話機１と当接しないようにされている。そして、電波透過部材４１及び透光部材４２の厚さ分だけケース本体１０及びカバー２０が薄肉とならないように、フランジ１１ｂ，２０ｂ，１２ｂの周囲で肉盛りされた状態に厚肉とされ、必要な防爆性能を確保することができるようにされている。但し、ケース本体１０及びカバー２０全体をフランジ１１ｂ，２０ｂ，１２ｂの周囲と同じ肉厚の厚肉としてもよい。
【００４５】
また、電波透過部材４１を嵌め込む貫通穴１１ａ，２０ａの内寸は、性能試験において試用される鋼球の外径よりも小さく、この鋼球が電波透過部材４１に衝突しないようにされ、あるいは、貫通穴１１ａ，２０ａが鋼球の外径よりも大きくされるときは、試験に耐えられる強度を有する電波透過部材４１が使用される。
【００４６】
そして、ケース本体１０の正面部１２であって、電話機１の送話部及び受話部と対向する部位に貫通穴１２ｃ，１２ｄが形成され（図２及び図４参照）、この貫通穴１２ｃ，１２ｄに防爆性能を有する音声透過部材４４，４４が嵌め込まれている。この貫通穴１２ｃ，１２ｄは、音声が通過できるだけの小孔とされ、防爆性能に影響がないようにされている。また、音声透過部材４４，４４は、例えば焼結金網が使用される。この音声透過部材４４，４４の外周面と貫通穴１２ｃ，１２ｄの内周面との間には、シリコンゴムなどによって形成された粒状の弾性部材４５が複数箇所に嵌め込まれ、あるいは粘状物が全周に埋め込まれ、音声透過部材４４，４４が貫通穴１２ｃ，１２ｄから脱落しないようにされている。
【００４７】
そして、ケース本体１０の正面部１２であって、電話機１の十字キーや数値・文字キーなどのキー操作部と対向する部位に貫通穴１２ｅ,１２ｅ，…が形成され、この貫通穴１２ｅ,１２ｅ，…に防爆性能を有する金属製の押釦４６が内外を隔絶しつつ突出・退入自在に嵌め込まれている。この貫通穴１２ｅ,１２ｅ，…は、十字キーや数値・文字キーと同じ形状とされ、縦横に配列される。
【００４８】
そして、押釦４６と電話機１との間には、押釦４６の突出・退入に追従する柔軟性のシート４７が介在している。このシート４７は、耐久性に優れた例えばシリコンゴムによって形成されている。
【００４９】
また、押釦４６の裏面には、例えば突起４６ａが突設され、シート４７にはこの突起４６ａを嵌め込む小孔４７ａが形成され、押釦４６の突起４６ａがシート４７の小孔４７ａに嵌め込まれ、接着剤（図示せず）によって接着され、押釦４６が貫通穴から脱落しないようにされている。従って、押釦４６の裏面に鍔部を設けることにより、シート４７を省略してもよい。
【００５０】
そして、ケース本体１０の他方の側面部１４であって、電話機１の電源スイッチやタッチ式のボリュームと対向する部位に貫通穴１４ａ，１４ａが形成され、この貫通穴１４ａ，１４ａに防爆性能を有する金属製の押釦４８，４８が内外を隔絶しつつ突出・退入自在に嵌め込まれている。この押釦４８，４８と電話機１との間には、押釦４８，４８の突出・退入に追従する柔軟性のシート４７が介在している。また、押釦４８の裏面には突起（図示せず）が突設され、シートには小孔４７ａが形成され、この突起が小孔４７ａに嵌め込まれ、接着剤によって接着され、押釦４８が貫通穴１４ａから脱落しないようにされている。
【００５１】
そして、カバー２０が電話機１の着信音発生部と対向する部位に貫通穴２０ｃが形成され、この貫通穴２０ｃに防爆性能を有する音透過部材４９が嵌め込まれている（図４参照）。この貫通穴２０ｃは、音が通過できるピンホールのような小孔を複数形成したものとされ、防爆性能に影響がないようにされている。また、音透過部材４９は、例えば焼結金網が使用される。この音透過部材４９の外周面と貫通穴２０ｃの内周面との間には、シリコンゴムなどによって形成された粒状の弾性部材４５が複数箇所に嵌め込まれ、あるいは粘状物が全周に埋め込まれ、音透過部材４９が貫通穴２０ｃから脱落しないようにされている。
【００５２】
ここで、本実施形態に係る防爆型ＩＰ携帯電話機の特徴的な部分について、図５を参酌しながら説明する。それは、電話機１の受話部における内蔵スピーカ３が電話機１のハウジング２から外部に露出し、しかも、該内蔵スピーカ３が電話機１のハウジング２から離間した状態を維持しつつ、前記音声透過部材４４と対向する位置に配置されることである。また、防爆カバー５（の正面部１２）の内面には、貫通穴１２ｄに連通し且つ内蔵スピーカ３を収容可能な大きさの凹部１２ｆが形成され、該凹部１２ｆに内蔵スピーカ３が配置されるようになっている。
【００５３】
さらに詳しくは、内蔵スピーカ３は、凹部１２ｆに配置されるベース５０に取り付けられ、該ベース５０は、制震材５１を介して電話機１のハウジング２に固定されている。このベース５０は、例えば金属製や樹脂製といった板状部材であり、適宜箇所が屈曲して一対の脚部を有する。また、この脚部に例えばブチルゴムといった制震材５１が取り付けられ、ベース５０は、制震材５１を介して電話機１のハウジング２に取り付けられる。尚、制震材５１のベース５０への取り付け、制震材５１のハウジング２への取り付けは、接着剤や粘着剤、接着シートや粘着シートなどによって行われる。
【００５４】
内蔵スピーカ３は、電話機１のハウジング２から外部に露出しているため、信号伝達のためのリード線３ａがハウジング２の貫通穴２ａを通ってハウジング２の内外に跨って配置され、その一端が内蔵スピーカ３に接続され、他端が電話機１内の所定回路に接続される。一例として、市販の電話機において、ハウジングを開けて内蔵スピーカを取り出し、該内蔵スピーカの配線を一旦切断してからリード線をハウジングの内外に通し、このリード線に内蔵スピーカを接続し直すといった方法を採ることができる。
【００５５】
ベース５０は、略コ字状を有し、凹んだ部分の内側に内蔵スピーカ３が取り付けられるようになっている。また、その凹んだ部分には、内蔵スピーカ３と対向する箇所に貫通穴５０ａが形成され、この貫通穴５０ａを挟んで内蔵スピーカ３が音声透過部材４４と対向する。従って、内蔵スピーカ３から受話した音声（音や振動）は、凹部１２ｆから貫通穴５０ａを通って音声透過部材４４を介して貫通穴１２ｄに至り、ここから防爆ケース５の外に出るようになっている。尚、音声透過部材４４は、凹部１２ｆと貫通穴１２ｄとの間に配置される都合上、凹部１２ｆと貫通穴１２ｄとの間には、凹部１２ｆよりは小さく、貫通穴１２ｄよりは大きい第二の凹部が形成され、この凹部に音声透過部材４４が配置される。
【００５６】
このように、本実施形態に係る防爆型ＩＰ携帯電話機によれば、電話機１の内蔵スピーカ３が電話機１のハウジング２から外部に露出し、しかも、該内蔵スピーカ３が電話機１のハウジング２から離間した状態を維持しつつ、音声透過部材４４と対向する位置に配置されるため、内蔵スピーカ３から受話した音声（音や振動）は、音声透過部材４４を介して防爆ケース５の外に出る一部を除き、防爆ケース５内に閉じ込められるものの、電話機１のハウジング２には伝わりにくくなっている。さらには、内蔵スピーカ３からの音声は、音声透過部材４４を介して防爆ケース５の外に出る一部を除き、凹部１２ｆ内で隔離されるので、電話機１のハウジング２に伝わりにくくなっている。
【００５７】
従って、本実施形態に係る防爆型ＩＰ携帯電話機によれば、受話した音声が電話機１の内蔵マイクに入力されることが軽減されるため、発された音声が相手方の電話機を経由して再び自身の電話機にエコー音として帰ってくるという現象が抑制され、防爆化に伴う通話品質の劣化を防止することができる。
【００５８】
尚、本発明は、上記実施形態に限定されるものではなく、本発明の要旨を逸脱しない範囲で種々の変更が可能である。
【００５９】
例えば、内蔵スピーカ３を電話機１のハウジング２の外部に配置する構成としては、図６及び図７に示すものも採用可能である。ここでは、ベース５０は、密閉された箱形となっており、この内部に内蔵スピーカ３が配置される。凹部１２ｆは、ベース５０を収容できるよう、角形に凹んでいる。また、ベース５０の一面には、その大きさに相当する大きさ（即ち、凹部１２ｆの開口をほぼ塞ぐ大きさ）とされたシート状の例えばブチルゴムからなる制震材５１が取り付けられ、この制震材５１が電話機１のハウジング２に取り付けられることにより、電話機１のハウジング２と内部に内蔵スピーカ３を内蔵したベース５０とが一体化される。尚、内蔵スピーカ３のリード線３ａは、ベース５０に小さな孔を開けて、ここを通すようにしている。
【００６０】
また、内蔵スピーカ３を電話機１のハウジング２の外部に配置する別の構成として、図８及び図９に示すものも採用可能である。ここでは、凹部１２ｆは、すり鉢状（開口側ほど拡がるテーパ状）に形成されており、内蔵スピーカ３は、ベース５０を介さずに（即ち、間接的ではなく）直接的に音声透過部材４４に接触している。凹部１２ｆには、例えばスポンジといった吸音材５２が装填されており、これにより、内蔵スピーカ３が位置ずれを起こさないようにしている。
【００６１】
吸音材５２は、上記実施形態あるいは図６及び図７に示す形態においても適用可能である。また、その他、制震材５１の形状、大きさ、配置箇所は本発明の目的の範囲で適宜選択できるし、必ずしも制震材５１が必要というわけではない。
【符号の説明】
【００６２】
１…ＩＰ携帯電話機、２…ハウジング、２ａ…貫通穴、３…内蔵スピーカ、３ａ…リード線、５…防爆ケース、１０…ケース本体、１１…天面部、１１ａ…貫通穴、１１ｂ…フランジ、１２…正面部、１２ａ…貫通穴、１２ｂ…フランジ、１２ｃ，１２ｄ…貫通穴、１２ｅ…貫通穴、１２ｆ…凹部、１３，１４…側面部、１４ａ…貫通穴、１５，１６…開口部、１７…溝、１９…スペーサ、２０…カバー、２０ａ…貫通穴、２０ｂ…フランジ、２０ｃ…貫通穴、２１…締結治具、３０…蓋体、３１…爪、３２…回転軸、３３…係止片、４１…電波透過部材、４２…透光部材、４３…接着剤、４４…音声透過部材、４５…弾性部材、４６…押釦、４６ａ…突起、４７…シート、４７ａ…小孔、４８…押釦、４９…音透過部材、５０…ベース、５０ａ…貫通穴、５１…制震材、５２…吸音材
【図１】
2010245920.tif 000003
【図２】
2010245920.tif 000004
【図３】
2010245920.tif 000005
【図４】
2010245920.tif 000006
【図５】
2010245920.tif 000007
【図６】
2010245920.tif 000008
【図７】
2010245920.tif 000009
【図８】
2010245920.tif 000010
【図９】
2010245920.tif 000011